【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
所定の撮影時点において撮影された複数の画像に基づく第１の仮想視点画像を画像処理装置から取得する第１取得手段と、
前記第１取得手段により取得された前記第１の仮想視点画像を表示部に表示させる表示制御手段と、
前記所定の撮影時点において撮影された前記複数の画像に基づく第２の仮想視点画像の生成に係る仮想視点を、前記表示制御手段により前記表示部に表示された前記第１の仮想視点画像に対応する仮想視点から変更するためのユーザ指示に基づいて、前記第２の仮想視点画像の生成に係る仮想視点に関するパラメータを決定する決定手段と、
前記決定手段により決定された前記パラメータを示す情報を前記画像処理装置へ送信する送信手段と、
前記送信手段により送信された前記情報が示す前記パラメータに応じた仮想視点に対応する前記第２の仮想視点画像を前記画像処理装置から取得する第２取得手段と、を有することを特徴とする情報処理装置。
【請求項２】
前記決定手段により決定されるパラメータは、仮想視点の位置、向き、画角、及び拡大倍率の少なくとも何れかに関するパラメータであることを特徴とする請求項１に記載の情報処理装置。
【請求項３】
前記第１取得手段は、前記所定の撮影時点を含む撮影期間に対応する動画であって前記第１の仮想視点画像を含む動画を前記画像処理装置から取得し、
前記表示制御手段は、前記第１取得手段により取得された前記動画を前記表示部に表示させ、
前記決定手段は、前記動画に対応する前記撮影期間内の前記所定の撮影時点をユーザ指示に基づいて指定し、且つ、指定された前記所定の撮影時点に対応する仮想視点に関する前記パラメータを決定し、
前記送信手段は、前記決定手段により指定された前記所定の撮影時点と前記決定手段により決定された前記パラメータとを示す前記情報を前記画像処理装置へ送信することを特徴とする請求項１又は２に記載の情報処理装置。
【請求項４】
前記決定手段は、前記動画の再生を一時停止するためのユーザ指示に基づいて前記所定の撮影時点を指定することを特徴とする請求項３に記載の情報処理装置。
【請求項５】
前記決定手段は、前記動画の再生の一時停止中におけるユーザ指示に基づいて前記パラメータを決定することを特徴とする請求項４に記載の情報処理装置。
【請求項６】
前記第２取得手段は、前記第２の仮想視点画像を静止画として取得することを特徴とする請求項１乃至５の何れか１項に記載の情報処理装置。
【請求項７】
前記第２取得手段は、前記第２の仮想視点画像を含む動画を取得することを特徴とする請求項１乃至５の何れか１項に記載の情報処理装置。
【請求項８】
前記第１取得手段による前記画像処理装置からの前記第１の仮想視点画像の取得と、前記送信手段による前記画像処理装置への前記情報の送信と、前記第２取得手段による前記画像処理装置からの前記第２の仮想視点画像の取得は、ネットワークを介して行われることを特徴とする請求項１乃至７の何れか１項に記載の情報処理装置。
【請求項９】
所定の撮影時点において撮影された複数の画像に基づく第１の仮想視点画像を情報処理装置へ送信する第１送信手段と、
前記送信手段により前記第１の仮想視点画像が送信された後に、前記所定の撮影時点において撮影された前記複数の画像に基づく第２の仮想視点画像の生成に係る仮想視点に関するパラメータを示す情報を前記情報処理装置から取得する取得手段と、
前記取得手段により取得された前記情報が示す前記パラメータに応じた仮想視点に対応する前記第２の仮想視点画像を前記情報処理装置へ送信する第２送信手段と、を有することを特徴とする画像処理装置。
【請求項１０】
前記複数の画像に基づいて前記第１の仮想視点画像を生成する第１生成手段と、
前記複数の画像と前記取得手段により取得された前記情報とに基づいて前記第２の仮想視点画像を生成する第２生成手段と、を有することを特徴とする請求項９に記載の画像処理装置。
【請求項１１】
前記第１送信手段は、前記所定の撮影時点を含む撮影期間に対応する動画であって前記第１の仮想視点画像を含む動画を前記情報処理装置へ送信し、
前記取得手段は、前記動画に対応する前記撮影期間内の前記所定の撮影時点と前記所定の撮影時点に対応する仮想視点に関する前記パラメータとを示す前記情報を前記情報処理装置から取得し、
前記第２送信手段は、前記取得手段により取得された前記情報が示す前記所定の撮影時点に対応する前記第２の仮想視点画像を前記画像処理装置へ送信することを特徴とする請求項９又は１０に記載の画像処理装置。
【請求項１２】
所定の撮影時点において撮影された撮影画像を取得する第１取得手段と、
前記第１取得手段により取得された前記撮影画像を表示部に表示させる表示制御手段と、
前記所定の撮影時点において撮影された複数の画像に基づく仮想視点画像の生成に係る仮想視点を、前記表示制御手段により前記表示部に表示された前記撮影画像に対応する視点から変更するためのユーザ指示に基づいて、前記仮想視点画像の生成に係る仮想視点に関するパラメータを決定する決定手段と、
前記決定手段により決定された前記パラメータに応じた仮想視点に対応する前記仮想視点画像を取得する第２取得手段と、を有することを特徴とする情報処理装置。
【請求項１３】
前記決定手段により決定された前記パラメータを示す情報を画像処理装置へ送信する送信手段を有し、
前記第１取得手段は、前記撮影画像を前記画像処理装置から取得し、
前記第２取得手段は、前記送信手段により送信された前記情報が示す前記パラメータに基づいて前記画像処理装置により生成された前記第２の仮想視点画像を取得することを特徴とする請求項１２に記載の情報処理装置。
【請求項１４】
所定の撮影時点において撮影された複数の画像に基づく第１の仮想視点画像を画像処理装置から情報処理装置へ送信する第１送信工程と、
前記所定の撮影時点において撮影された前記複数の画像に基づく第２の仮想視点画像の生成に係る仮想視点に関するパラメータを示す情報を前記情報処理装置から前記画像処理装置へ送信する第２送信工程と、
前記第２送信工程において送信された前記情報が示す前記パラメータに応じた仮想視点に対応する前記第２の仮想視点画像を前記画像処理装置から前記情報処理装置へ送信する第３送信工程と、を有することを特徴とする情報処理方法。
【請求項１５】
前記第１送信工程において送信された前記第１の仮想視点画像を表示部に表示させる表示制御工程と、
前記第２の仮想視点画像の生成に係る仮想視点を、前記表示制御工程において前記表示部に表示された前記第１の仮想視点画像に対応する仮想視点から変更するためのユーザ指示に基づいて、前記第２の仮想視点画像の生成に係る仮想視点に関する前記パラメータを決定する決定工程と、を有し、
前記第２送信工程は、前記決定工程において決定された前記パラメータを示す前記情報を送信することを特徴とする請求項１４に記載の情報処理方法。
【請求項１６】
前記第１送信工程は、前記所定の撮影時点を含む撮影期間に対応する動画であって前記第１の仮想視点画像を含む動画を送信し、
前記第２送信工程は、前記動画に対応する前記撮影期間のうち前記画像処理装置において指定された前記所定の撮影時点と前記パラメータとを示す前記情報を送信することを特徴とする請求項１４又は１５に記載の情報処理方法。
【請求項１７】
所定の撮影時点において撮影された撮影画像を画像処理装置から情報処理装置へ送信する第１送信工程と、
前記所定の撮影時点において撮影された複数の画像に基づく仮想視点画像の生成に係る仮想視点に関するパラメータを示す情報を前記情報処理装置から前記画像処理装置へ送信する第２送信工程と、
前記第２送信工程において送信された前記情報が示す前記パラメータに応じた仮想視点に対応する前記仮想視点画像を前記画像処理装置から前記情報処理装置へ送信する第３送信工程と、を有することを特徴とする情報処理方法。
【請求項１８】
前記第１送信工程において送信された前記撮影画像を表示部に表示させる表示制御工程と、
前記仮想視点画像の生成に係る仮想視点を、前記表示制御工程において前記表示部に表示された前記撮影画像に対応する視点から変更するためのユーザ指示に基づいて、前記仮想視点画像の生成に係る仮想視点に関する前記パラメータを決定する決定工程と、を有し、
前記第２送信工程は、前記決定工程において決定された前記パラメータを示す前記情報を送信することを特徴とする請求項１７に記載の情報処理方法。
【請求項１９】
コンピュータを、請求項１−８、１２、１３の何れか１項に記載の情報処理装置、又は請求項９−１１の何れか１項に記載の画像処理装置として機能させるためのプログラム。
【手続補正２】
【補正対象書類名】明細書
【補正対象項目名】０００７
【補正方法】変更
【補正の内容】
【０００７】
所定の撮影時点において撮影された複数の画像に基づく第１の仮想視点画像を画像処理装置から取得する第１取得手段と、前記第１取得手段により取得された前記第１の仮想視点画像を表示部に表示させる表示制御手段と、前記所定の撮影時点において撮影された前記複数の画像に基づく第２の仮想視点画像の生成に係る仮想視点を、前記表示制御手段により前記表示部に表示された前記第１の仮想視点画像に対応する仮想視点から変更するためのユーザ指示に基づいて、前記第２の仮想視点画像の生成に係る仮想視点に関するパラメータを決定する決定手段と、前記決定手段により決定された前記パラメータを示す情報を前記画像処理装置へ送信する送信手段と、前記送信手段により送信された前記情報が示す前記パラメータに応じた仮想視点に対応する前記第２の仮想視点画像を前記画像処理装置から取得する第２取得手段と、を有することを特徴とする情報処理装置。